【手続補正書】
【提出日】平成19年9月4日(2007.9.4)
【手続補正１】
【補正対象書類名】明細書
【補正対象項目名】００１９
【補正方法】変更
【補正の内容】
【００１９】
また、リングとしては、図２７、図２８および図２９に示す子宮脱および膀胱脱防止用リング７０のように、湾曲棒状部７３は、始端７３ｂおよび終端７３ｃが環状部７２に連結されるように設けられるとともに、図１に示したリングに比べて、始端７３ｂと終端７３ｃ間が近い、言い換えれば、始端７３ｂと終端７３ｃ間距離が短い変形ｗ字状をしているものであってもよい。
なお、図２７は、本発明の他の実施例の子宮脱および膀胱脱防止用リングの正面図である。図２８は、図２７のＭ−Ｍ線断面図である。図２９は、図２７のＮ−Ｎ線断面図である。
【手続補正２】
【補正対象書類名】明細書
【補正対象項目名】００２１
【補正方法】変更
【補正の内容】
【００２１】
図２９における中央部７３ａの湾曲距離Ｚｅとしては、１０〜２０ｍｍ程度が好適である。なお、このリング７０の湾曲棒状部７３は、図２９に示すように、全体が同一平面上となるように形成されているが、中間部７３ａが、環状部７２の中央方向に向かうように変形しているものでもよい。この場合には、湾曲棒状部７３は、全体が同一平面上ではなく、中間部が下方に下がった状態となる。また、湾曲棒状部７３と開口部７４は向かい合う配置に形成されている。
【手続補正３】
【補正対象書類名】明細書
【補正対象項目名】００２２
【補正方法】変更
【補正の内容】
【００２２】
また、湾曲棒状部７３は、図２７ないし図２９に示すように、断面が円形となる湾曲円柱体により形成されている。なお、湾曲棒状部７３は、角が面取りされた湾曲多角柱体、湾曲楕円柱体などでもよい。湾曲棒状部を構成する柱体の太さは、直径（最大径）が、４〜１２ｍｍ程度が好適である。また、湾曲棒状体は、全体が同じ太さ（径）でなくてもよい。例えば、中間部７３ａが他の部分に比べて細くなっていてもよい。
この実施例のリング７０も、全体がある程度の可撓性を有する材料により形成されている。好ましくは、環状部７２の形成材料に比べて、湾曲棒状部７３の形成材料は可撓性が高いことが好ましい。
【手続補正４】
【補正対象書類名】明細書
【補正対象項目名】００２８
【補正方法】変更
【補正の内容】
【００２８】
次に、本発明の他のタイプの子宮脱および膀胱脱防止用リングについて説明する。
図１２は、本発明の他の実施例の子宮脱および膀胱脱防止用リングの正面図である。図１３は、図１２のＥ−Ｅ線断面図である。図１４は、図１２のＦ−Ｆ線断面図である。
本発明の子宮脱および膀胱脱防止用リング２０は、環状部２２と、環状部２２に設けられ、環状部２２が形成する環状平面の上方かつ中央方向に延びる舌片状の可撓性平板部２３とを備えている。
この実施例のリング２０は、図１２に示すように、子宮脱防止のための環状部２２と、膀胱脱防止のための舌片状の可撓性平板部２３と、直腸脱防止のための環状部の部分的に欠損により形成された開口部２４を備えている。よって、この実施例のリング２０は、子宮脱、膀胱脱および直腸脱の防止を行うことができるタイプのものである。
【手続補正５】
【補正対象書類名】明細書
【補正対象項目名】００３２
【補正方法】変更
【補正の内容】
【００３２】
リングの形成材料としては、ポリカーボネート、アクリル樹脂（例えば、ポリアクリレート、ポリメチルメタクリレート、ポリアクリルアミド、アクリロニトリル−スチレン共重合体、アクリロニトリル−ブタジエン−スチレン共重合体等）、ポリエステル（例えば、ポリエチレンテレフタレート、ポリブチレンテレフタレート）、ポリオレフィン（例えば、ポリエチレン、ポリプロピレン、エチレン−プロピレンコポリマー、エチレン−酢酸ビニル共重合体、ポリプロピレンとポリエチレンもしくはポリブテンの混合物）、スチレン系樹脂（例えば、ポリスチレン、メタクリレート−スチレン共重合体、メタクリレート−ブチレン−スチレン共重合体）、ポリアミド（例えば、６ナイロン，６６ナイロン）、ポリサルホンなどの半硬質材料、ウレタンゴム、シリコーンゴム、ブタジエンゴムなどの合成ゴム、ラテックスゴムなどの天然ゴム、オレフィン系エラストマー（例えば、ポリエチレンエラストマー、ポリプロピレンエラストマー）、アミド系エラストマー（例えば、ポリアミドエラストマー）、スチレン系エラストマー（例えば、スチレン−ブタジエン−スチレンコポリマー、スチレン−イソプレン−スチレンコポリマー、スチレン−エチレンブチレン−スチレンコポリマー）、ポリウレタン（例えば、ポリエステル系ポリウレタン、ポリエーテル系ポリウレタン）、ウレタン系エラストマー（例えば、熱可塑性ポリウレタン、具体的には、熱可塑性ポリエーテルポリウレタン、熱可塑性ポリエステルポリウレタン）などの可撓性材料が使用できる。そして、上記の材料のうち熱可塑性のものを用いることが好ましい。特に、５０℃〜１００℃程度の低温にて軟化する樹脂が好適である。なお、リング全体がこのような低軟化点樹脂により形成されていてもよいが、少なくとも環状部２２が低軟化点樹脂により形成されていればよい。このような低軟化点樹脂を用いることにより、上記温度に加温することにより、患者の挿入部位の形状に適合する形状に環状部を変形させることができ、その後冷却することにより変形形状を保持させることができる。このようにすることにより、生体挿入部位からのリングの離脱、挿入時の違和感を少なくすることができる。また、このような低軟化点樹脂を用いることにより、上記温度に加温することにより、必要な場合に、湾曲棒状部材の角度も任意に変更することができる。
【手続補正６】
【補正対象書類名】明細書
【補正対象項目名】００３７
【補正方法】変更
【補正の内容】
【００３７】
この実施例のリング３０では、可撓性平板部３３は、肉厚板により形成されている。このため、平板部３３と環状部２２は、取付部分において一体化している。また、可撓性平板部３３の周縁は面取りされ、角がないものとなっている。可撓性平板部の厚さとしては、３〜８ｍｍ程度が好適である。また、可撓性平板部３３の先端は、舌片状もしくは円弧状に湾曲している。さらに、可撓性平板部３３は、平板部３３を貫通する複数の開孔３５を備えている。このような開孔３５を設けることにより、可撓性平板部３３と生体組織の過剰密着を防止できる。また、可撓性平板部３３と生体組織間に代謝物の堆積を防止できる。開孔３５の大きさとしては、１〜４ｍｍ程度が好適である。また、開孔３５の数は、１〜３個／ｃｍ２程度が好適である。
【手続補正７】
【補正対象書類名】明細書
【補正対象項目名】００４０
【補正方法】変更
【補正の内容】
【００４０】
可撓性平板部の厚さとしては、３〜８ｍｍ程度が好適である。また、可撓性平板部４３の先端は、舌片状もしくは円弧状に湾曲している。さらに、可撓性平板部４３は、平板部４３を貫通する複数の開孔４５を備えている。このような開孔４５を設けることにより、可撓性平板部４３と生体組織の過剰密着を防止できる。また、可撓性平板部４３と生体組織間に代謝物の堆積を防止できる。開孔４５の大きさとしては、１〜４ｍｍ程度が好適である。また、開孔４５の数は、１〜３個／ｃｍ２程度が好適である。
【手続補正８】
【補正対象書類名】明細書
【補正対象項目名】００４６
【補正方法】変更
【補正の内容】
【００４６】
リングの形成材料としては、リング１において説明したものが好適に使用できる。そして、上述した材料のうち熱可塑性のものを用いることが好ましい。特に、５０℃〜１００℃程度の低温にて軟化する樹脂が好適である。なお、リング全体がこのような低軟化点樹脂により形成されていていもよいが、少なくとも環状部８２が低軟化点樹脂により形成されていればよい。このような低軟化点樹脂を用いることにより、上記温度に加温することにより、患者の挿入部位の形状に適合する形状に環状部を変形させることができ、その後冷却することにより変形形状を保持させることができる。このようにすることにより、生体挿入部位からのリングの離脱、挿入時の違和感を少なくすることができる。また、このような低軟化点樹脂を用いることにより、上記温度に加温することにより、必要な場合に、湾曲棒状部材の角度も任意に変更することができる。